(57)【要約】【課題】雨水がタイル部の上端面に溜まることなく、タイル部の表面に良好に流れてタイル部表面の汚れを洗い流すことができ、かつ貼り付けモルタルと躯体コンクリートからの剥離・剥落を防止し得る安全性に優れたタイルを提供すること。【解決手段】一体成形されたタイル部１と目地部２を有し、かつタイル部１の上端縁上面には、タイル部上面中心より両端に架けて上面長手方向に傾斜するとともに、厚み方向にしてかつ前記タイル部１の表面側に向け傾斜した傾斜面１ｅが形成されるとともに、目地部２の四つの端縁部にはそれぞれ傾斜面が形成され、さらに前記目地部２の裏面長手方向には、貼り付けモルタルとの付着力を強めるための凹凸部３が設けられ、また、前記目地部２における上端縁部２ａにはアンカーピンの打ち込み穴４が設けられている。【選択図】    図７
2010013920.tif 000002
【特許請求の範囲】
【請求項１】
一体成形されたタイル部（１）と目地部（２）を有し、かつ前記目地部（２）の上端縁部（２ａ）と、対向する左右の側端縁部（２ｃ）、（２ｄ）が、前記タイル部（１）の上端縁部（１ａ）と、対向する左右の側端縁部（１ｃ）、（１ｄ）よりもやや外側に突出形成されるとともに、前記タイル部（１）の下端縁部（１ｂ）が、前記目地部（２）の下端縁部（２ｂ）よりもやや外側に突出形成され、前記タイル部（１）の上端縁のタイル部上面には、タイル部上面中心（Ａ）より両端に架けて上面長手方向に傾斜するとともに、厚み方向にしてかつ前記タイル部（１）の表面側に向け傾斜した傾斜面（１ｅ）が両端対称に形成され、前記目地部（２）の前記上下端縁部（２ａ）、（２ｂ）および左右の側端縁部（２ｃ）、（２ｄ）の四辺全部には、前記上端縁部（２ａ）と左側端縁部（２ｃ）においては厚み方向にしてかつ裏面側に向け傾斜した傾斜面（２ｅ）と傾斜面（２ｆ）が形成されるとともに、前記下端縁部（２ｂ）と右側端縁部（２ｄ）においては、前記傾斜面（２ｅ）、（２ｆ）とそれぞれ逆向きの傾斜面（２ｇ）と傾斜面（２ｈ）が形成され、さらに前記目地部（２）の裏面長手方向には、貼り付けモルタル（５）との付着力を強めるための凹凸部（３）が設けられ、また、前記目地部（２）における上端縁部（２ａ）略中央部位には、前記貼り付けモルタル（５）を貫通して躯体コンクリート（６）に対するアンカーピン（７）の打ち込み穴（４）が設けられている構成を特徴とするタイル。
【請求項２】
前記凹凸部（３）は、アリ溝（３ａ）とアリ足（３ｂ）からなる請求項１のタイル。
【発明の詳細な説明】
【技術分野】
【０００１】
本発明は、セラミックの素焼き等により一体成形されたタイル部と目地部を有し、剥落防止・目地劣化防止・防汚等の優れた作用効果を奏するタイルに関する。
【背景技術】
【０００２】
従来、例えば家屋の新築時においては、張り付けモルタルにタイルを圧着し、タイル間の隙間に目地モルタルを塗り込み完成させており、また、時としては、タイル表面に有機系防汚剤を塗布し汚れの付着を防いでいるが、その多くは撥水性塗料である。
【０００３】
知られているように、目地モルタルの経年変化による劣化から雨水が浸透し、その雨水がタイルの裏面に回り、張り付けタイルとタイルの剥離を誘発している。
【０００４】
そこで、改修工事において、タイルの浮き上り部を交換、または樹脂接着剤を注入して処置している。しかし、樹脂接着剤（有機材）をタイル（無機材）と張り付けモルタル（無機）間に注入するわけであるから、有機と無機は所詮「水と油」で一体化しない。
【０００５】
また、躯体コンクリート・張り付けモルタルはタイルにより隠蔽され、水分蒸発を阻害しており、水蒸気を躯体コンクリートに封じ込めることによる躯体コンクリートへの悪影響も無視できない状況にある。
【０００６】
また、目地モルタルは１年で０．５〜１．０mm程度中性化が進行すると言われており、改修工事が平均１２年目で、目地打ち替えを行なわないで２回目の改修時では１０〜２０mmの中性化が進行し、降雨時にはタイル裏面に雨水が回り込み、タイル剥離の危険性は更に増して来る状況にある。
【０００７】
さらにまた、タイル表面、目地が汚れ、黒ずんだり雨筋が付いたりと意匠性を維持できない。そこで、防汚コーティングを施すこともあるが、有機剤が主でその耐候性が問題となり、数年でその効果がなくなる。
【０００８】
コーキングの寿命（交換時期）も改修時期に合わせ打ち替えているが、その劣化の主たる原因は紫外線による劣化に他ならない。
【０００９】
このように、従来においては種々の問題があり、これら問題点を解決するため、特許文献１に開示のタイル張りパネルが提案されている。
【００１０】
すなわち、特許文献１には、上下左右に対向する端面のうち、下端面と一方の側端面に表面側が突設した表実、及び上端面と他方の側端面に表実よりも大きく裏面側が突設した裏実を備えたタイルをパネル下地材に重ねて固定し、裏実と表実を接合して上下左右に配したタイル張りパネルが開示されている。
【００１１】
しかしながら、この特許文献１に開示のものは、タイル間の縦目地の溝にモルタル塗り等をする必要はないものの、タイルは単なるセラミックタイルであって、タイル部に相当する表実と、目地部に相当する裏実の表面には、剥落防止・呼吸性・目地劣化防止・防汚手段が施されておらず、また、パネル下地材は裏実により隠蔽されるものであるから、水分蒸発を阻害して、水蒸気をパネル下地材に封じ込めることなり、パネル下地材に悪い影響を与えることになる。
【００１２】
また、特許文献１に開示のタイルは、そのタイル上端面が水平な平坦面であるため、雨水がタイル上端面に溜まってしまって、タイル面表面に良好に流れず、タイル表面の汚れを洗い流すという効果が得られない。
【００１３】
特許文献２には、パネル主板の上端面に、その中心より両側に架けて上面左右方向と厚み方向に向けてそれぞれ傾斜した流水用傾斜部が形成されている旨の技術事項が開示されている。
【００１４】
しかしながら、特許文献２に開示のものは、その厚み方向の傾斜は重ね片側に向けて傾斜しているもので、酸性雨等の雨水は下地モルタルや躯体コンクリート内に浸透することになって、劣化を惹起するという問題がある。
【００１５】
特許文献３には、タイルの裏面に、多数の繊維を互いに間隔をあけた状態で接着剤により接着し、または埋め込みして設け、この繊維により貼付けモルタルとの付着力を高めるようにしたタイルに関する技術事項が開示されている。
【００１６】
しかしながら、特許文献３に開示のものは、接着剤の劣化等によって繊維の接着力が低下したり、また、繊維の埋設不良により十分な付着力が得られないという問題がある。
【００１７】
また、特許文献４には、側部に係止部を有する長尺の係止部材を建築物の壁面に沿って固定し、この係止部材の係止部にタイルの裏面に形成した溝部を介してタイルを係止させる旨の技術事項が開示されている。
【００１８】
しかしながら、この特許文献４に開示のものは、溝部を有しない裏面が平坦なタイルには適用することができないという問題がある。
【特許文献１】実開平７−２１８８５号公報
【特許文献２】特開２００１−１２３６４３号公報
【特許文献３】特開２００８−２２３４０６号公報
【特許文献４】特開平６−８１４４１号公報
【発明の開示】
【発明が解決しようとする課題】
【００１９】
本発明が解決しようとする問題点は、目地モルタルの経年変化による劣化から雨水が浸透して、その雨水がタイルの裏面に回り、張り付けモルタルとタイルの剥離を誘発するという点である。
【００２０】
また、タイル部の上端面（水平面）に雨水が溜まって、汚れが付着しやすく、かつ雨水がタイル部面の表面に良好に流れないため、タイル部表面の汚れを洗い流すことができないという点である。
【００２１】
また、タイル部の表面や目地部が汚れ、黒ずんだり雨筋が付いたりと意匠性を維持できないため、防汚コーティングを施すこともあるが、有機剤が主でその耐候性が問題となり、数年でその効果がなくなるという点である。
【００２２】
また、タイルと貼り付けモルタルとの接着構造に問題があって、タイルが剥離・剥落し易いという点である。
【００２３】
したがって、本発明の目的は、目地モルタルが無いために目地モルタルの劣化が無く、かつ雨水の浸透が無いことから雨水がタイルの裏側に回り劣化からくる接着力の低下が無いタイルを提供することにある。
【００２４】
また、降水時において、雨水がタイル部の上端面に溜まることなく、タイル部の表面に良好に流れてタイル部表面の汚れを洗い流すことができるタイルを提供することにある。
【００２５】
また、貼り付けモルタルと躯体コンクリートとからの剥離・剥落を防止し得る安全性に優れたタイルを提供することにある。
【００２６】
これらの目的のため、本発明の請求項１に記載のタイルは、一体成形されたタイル部１と目地部２を有し、かつ前記目地部２の上端縁部２ａと、対向する左右の側端縁部２ｃ、２ｄが、前記タイル部１の上端縁部１ａと、対向する左右の側端縁部１ｃ、１ｄよりもやや外側に突出形成されるとともに、前記タイル部１の下端縁部１ｂが、前記目地部２の下端縁部２ｂよりもやや外側に突出形成され、前記タイル部１の上端縁のタイル部上面には、タイル部上面中心Ａより両端に架けて上面長手方向に傾斜するとともに、厚み方向にしてかつ前記タイル部１の表面側に向け傾斜した傾斜面１ｅが両端対称に形成され、前記目地部２の前記上下端縁部２ａ、２ｂおよび左右の側端縁部２ｃ、２ｄの四辺全部には、前記上端縁部２ａと左側端縁部２ｃにおいては厚み方向にしてかつ裏面側に向け傾斜した傾斜面２ｅと傾斜面２ｆが形成されるとともに、前記下端縁部２ｂと右側端縁部２ｄにおいては、前記傾斜面２ｅ、２ｆとそれぞれ逆向きの傾斜面２ｇと傾斜面２ｈが形成され、さらに前記目地部２の裏面長手方向には、貼り付けモルタル５との付着力を強めるための凹凸部３が設けられ、また、前記目地部２における上端縁部２ａ略中央部位には、前記貼り付けモルタル５を貫通して躯体コンクリート６に対するアンカーピン７の打ち込み穴４が設けられている構成を特徴とするものである。
【００２７】
本発明の請求項２に記載のタイルは、前記凹凸部３は、アリ溝３ａとアリ足３ｂから形成されていることを特徴とするものである。
【発明の効果】
【００２８】
請求項１と請求項２に記載の発明によれば、一体成形されたタイル部と目地部を有し、かつ目地部の上端縁部と、対向する左右の側端縁部が、タイル部の上端縁部と、対向する左右の側端縁部よりもやや外側に突出形成されるとともに、タイル部の下端縁部が、目地部の下端縁部よりもやや外側に突出形成されていて、目地モルタルが無いために目地モルタルの劣化が無く、かつ雨水の浸透が無いことから雨水がタイルの裏側に回り劣化からくる接着力の低下が無く、耐候性に優れる。
【００２９】
また、タイル部の上端縁のタイル部上面には、タイル部上面中心より両端に架けて上面長手方向に傾斜するとともに、厚み方向にしてかつタイル部の表面側に向け傾斜した傾斜面が両端対称に形成されているから、雨水がタイル部上面に溜まるということはなく、良好に流れ落ちるために、タイル部上面に汚れが付着せず、タイル部表面の汚れを流れ落ちる雨水によって洗い流すことができる。
【００３０】
また、目地部の上下端縁部および左右の側端縁部の四辺全部に、上端縁部と左側端縁部においては厚み方向にしてかつ裏面側に向け傾斜した傾斜面が形成され、下端縁部と右側端縁部においては、傾斜面とそれぞれ逆向きの傾斜面が形成され、さらに目地部の裏面長手方向には、アリ溝とアリ足から形成の凹凸部が設けられ、また、目地部における上端縁部略中央部位には、貼り付けモルタルを貫通して躯体コンクリートに対するアンカーピンの打ち込み穴が設けられているから、目地部における傾斜面同士の広い接合面による接合と強い押し付け力、生乾きの貼り付けモルタルに食い込んだアリ足とアリ溝に圧入されたモルタルおよび穴を通しての打撃工具によるアンカーピンの躯体コンクリートへの打ち込みにより、タイル、張り付けモルタルの躯体コンクリートからの剥離・剥落が確実に防止される。
【発明を実施するための最良の形態】
【００３１】
以下に図面を参照して、本願に係る発明を実施するための最良の形態についてその作用と共に説明する。
【００３２】
図１は、本発明に係るタイルの一例での正面図、図２は、背面図、図３は、平面図、図４は、底面図、図５は、図１の５方向から見た端面図、図６は、図１の６方向から見た端面図、図７は、図１の７−７線に沿った断面図、図８は、図１の８−８線に沿った断面図、図９は、タイル張りの一例を示す部分正面図、図１０は、タイル張りの一例を示す説明図、図１１は、図９の１１−１１線に沿った拡大断面図、図１２は、図９の１２方向から見た一部省略の拡大端面図、図１３は、雨水の流れ落ちる状態を示す説明図である。
【００３３】
これら図において、本タイルは、例えばセラミック製タイルが用いられ、一体成形されたタイル部１と目地部２を含んでいる。
【００３４】
タイル部１と目地部２は、本実施例においては、横長四角形とされているが、その寸法は任意であり、また、通し目地タイル張りの場合と、馬踏み目地タイル張りの場合には、横に組み合わされて施行され、たて芋目地タイル張りの場合には、縦に組み合わされて施行される。
【００３５】
タイル部１と目地部２の位置関係について説明すると、目地部２の上端縁部２ａと、対向する左右の側端縁部２ｃ、２ｄが、タイル部１の上端縁部１ａと、対向する左右の側端縁部１ｃ、１ｄよりもやや外側に突出形成されるとともに、タイル部１の下端縁部１ｂが、目地部２の下端縁部２ｂよりもやや外側に突出して形成されている。
【００３６】
なお、図１に示されているように、目地部２における左右側端縁部２ｃ、２ｄの外側への突出幅Ｂは両方略等しく、タイル部１における下端縁部１ｂの外側への突出幅Ｃは、目地部２における上端縁部２ａの外側への突出幅Ｄの略半分以下の幅にそれぞれ寸法設定されている。
【００３７】
タイル部１の上端縁部１aの上面には、タイル上面中心Ａより両端に架けて上面長手方向に傾斜するとともに、厚み方向にしてかつタイル部１の表面側に向け傾斜した傾斜面１ｅが両端対称に形成され、図１３に矢印で示されているように、雨水がタイル上面に溜まることなく、タイル部の表面に沿い、かつ表面の汚れを洗い流しながら良好に流れ落ちるようになっている。
【００３８】
図１〜図６に示されているように、目地部２の上下端縁部２ａ、２ｂおよび左右の側端縁部２ｃ、２ｄの四辺全部には、上端縁部２ａと左側端縁部２ｃにおいては厚み方向にしてかつ裏面側に向け傾斜した傾斜面２ｅと傾斜面２ｆが形成されるとともに、下端縁部２ｂと右側端縁部２ｄにおいては、傾斜面２ｅ、２ｆとそれぞれ逆向きの傾斜面２ｇと傾斜面２ｈが形成され、タイル張りにおいて、図１１および図１２に示されているように、目地部２における傾斜面２ｅ、２ｇと傾斜面２ｆ、２ｈ同士の広い接合面による接合と強い押し付け力によってタイル同士の剥離・剥落が防止されるようになっている。
【００３９】
また、目地部２の裏面のやや上部長手方向には、貼り付けモルタル５との付着力を強めるためのアリ溝３ａとアリ足３ｂから形成の凹凸部３が設けられ、タイルの貼り付けにおいて、図１１に示されているように、躯体コンクリート６に塗着された生乾きの貼り付けモルタル５にアリ足３ｂが食い込むと同時にモルタル５がアリ溝３ａに圧入されて、貼り付けモルタル５に対するタイルの付着力が増大し、タイルの剥離・剥落が確実に防止されるようになっている。
【００４０】
さらに、目地部２における上端縁部２ａの略中央部位には、貼り付けモルタル５を貫通して躯体コンクリート６に対するアンカーピン７の打ち込み穴４が設けられ、穴４を通しての打撃工具によるアンカーピン７の躯体コンクリート６への打ち込みにより、タイル、張り付けモルタル５の躯体コンクリート６からの剥離・剥落が確実に防止されるようになっている。
【００４１】
なお、特に図示しないが、タイル部1の表面と上下端縁部１a、１ｂ、両側端縁部１ｃ、１ｄの全体面及び目地部２のタイル部１よりも外側に突出している上端縁部２ａと左右の側端縁部２ｃ、２ｄの全面には、二酸化ケイ素（シリカ）と二酸化チタン（チタン）を主成分とする無機質９０％以上の水性シリケート塗料（シリコン、シラン、水ガラスを含まない）が塗布・焼付けされて無機質塗料層が形成されている。
【００４２】
この無機質塗料層は、紫外線・酸性雨・窒素酸化物・硫黄酸化物などによる劣化成分を含まないものであって、水は通さないが水蒸気を通す呼吸塗膜層であるから、劣化が無く、変退色・亀裂なども惹起せず、また、躯体コンクリート・張り付けモルタルはタイルにより隠蔽されていても、躯体コンクリート・モルタルから発生する水蒸気を外部に放出して、水蒸気を躯体コンクリート・モルタルに封じ込めることがないから、耐候性・断熱性に優れるものである。
【００４３】
このような構成に係る本タイルは、出来上がりの収縮率が少なく、また均一な製品が量産的であるところから、粉状の原料を金型に充填し、油圧プレス機にて高圧で押し固める乾式プレス成形によりタイル部１と目地部２が一体に成形される。
【００４４】
そして、タイル部１と目地部２には、例えばタイル部１には茶色に、目地部２には灰色にそれぞれ着色された無機質塗料が塗布され、次いで、全体が２００度位の低温で焼結され、または全体が焼結された後、それぞれ着色された無機質塗料が塗布されて無機質塗料層が形成される。
【００４５】
そして、本タイルは、図９〜図１２に例示されているように、躯体コンクリート６上の張り付けモルタル５に下側面より積み上げる形で張り付け施行される。
【００４６】
さらに説明すれば、図９中の左列においては、先ず、最初の１段目のタイルが、躯体コンクリート６に塗着された生乾きの貼り付けモルタル５にアリ足３ｂが食い込むと同時にモルタル５がアリ溝３ａに圧入された状態で貼り付けられる。
【００４７】
次いで、２段目のタイルが、その目地部２ａの下端傾斜面２ｇを１段目タイルの目地部２の上端傾斜面２ｅに一体的に係合させ、かつ生乾きの貼り付けモルタル５にアリ足３ｂを食い込ませると同時にモルタル５をアリ溝３ａに圧入させた状態で貼り付けられる（図１１）。すると、１段目に張り付けられたタイル部１の上端縁部１ａと２段目に貼り付けられたタイル部１の下端縁部１ｂで横目地が形成される。
【００４８】
このようにして左列において順次タイル張りがなされ、最上段のタイルにおいては、その目地部２に設けられている穴４を介してアンカーボルト７が張り付けモルタル５を貫通して躯体コンクリート６まで打ち込まれ、これによりタイルは確実に固定される。
【００４９】
次に、図９中の右列においては、左列と同様に下側より積み上げる形で貼り付け施工され、先ず、最初の１段目のタイルが、その目地部２の左側端縁部２ｃに形成の傾斜面２ｆを左列１段目タイルの目地部２の右側端縁部２ｄに形成の傾斜面２ｈに一体的に係合させ（図１２）、かつ生乾きの貼り付けモルタル５にアリ足３ｂを食い込ませると同時にモルタル５をアリ溝３ａに圧入させた状態で貼り付けられる。
【００５０】
次いで、２段目のタイルが、その目地部２ａの下端傾斜面２ｇを１段目タイルの目地部２の上端傾斜面２ｅに一体的に係合させるともに、左列２段目タイルの目地部２の右側端縁部２ｄに形成の傾斜面２ｈに右列２段目タイルの目地部２の左側端縁部２ｃに形成の傾斜面２ｆを一体的に係合させ、かつ生乾きの貼り付けモルタル５にアリ足３ｂを食い込ませると同時にモルタル５をアリ溝３ａに圧入させた状態で貼り付けられる。
【００５１】
このようにして右列において順次タイル張りがなされ、最上段のタイルにおいては、その目地部２に設けられている穴４を介してアンカーボルト７が張り付けモルタル５を貫通して躯体コンクリート６まで打ち込まれ、これによりタイルは確実に固定される。
【００５２】
このようにして張り付けされたタイルは、目地部２における傾斜面２ｅ、２ｇと傾斜面２ｆ、２ｈ同士の広い接合面による接合と強い押し付け力、生乾きの貼り付けモルタル５に食い込んだアリ足３ｂとアリ溝３ａに圧入されたモルタルおよび穴４を通しての打撃工具によるアンカーピン７の躯体コンクリート６への打ち込みにより、タイル、張り付けモルタル５の躯体コンクリート６からの剥離・剥落が確実に防止されるものである。
【図面の簡単な説明】
【００５３】
【図１】本発明に係るタイルの一例での正面図である。
【図２】同上の背面図である。
【図３】図１の平面図である。
【図４】図１の底面図である。
【図５】図１の５方向から見た端面図である。
【図６】図１の６方向から見た端面図である。
【図７】図１の７−７線に沿った断面図である。
【図８】図１の８−８線に沿った断面図である。
【図９】タイル張りの一例を示す部分正面図である。
【図１０】タイル張りの一例を示す説明図である。
【図１１】図９の１１−１１線に沿った拡大断面図である。
【図１２】図９の１２方向から見た一部省略の拡大端面図である。
【図１３】雨水の流れ落ちる状態を示す説明図である。
【符号の説明】
【００５４】
１    タイル部
１ａ    タイル部の上端縁部
１ｂ    タイル部の下端縁部
１ｃ、１ｄ    タイル部の左右側端縁部
１ｅ    傾斜面
２    目地部
２ａ    目地部の上端縁部
２ｂ    目地部の下端縁部
２ｃ、２ｄ    目地部の左右側端縁部
２ｅ、２ｆ、２ｇ、２ｈ    傾斜面
３ａ、３ｂ    凹凸部（アリ溝、アリ足）
４    アンカー打ち込み用穴
５    張り付けモルタル
６    躯体コンクリート
７    アンカーピン
Ａ    タイル部上面中心
【図１】
2010013920.tif 000003
【図２】
2010013920.tif 000004
【図３】
2010013920.tif 000005
【図４】
2010013920.tif 000006
【図５】
2010013920.tif 000007
【図６】
2010013920.tif 000008
【図７】
2010013920.tif 000009
【図８】
2010013920.tif 000010
【図９】
2010013920.tif 000011
【図１０】
2010013920.tif 000012
【図１１】
2010013920.tif 000013
【図１２】
2010013920.tif 000014
【図１３】
2010013920.tif 000015